(57)【要約】  ダイバーシティ・モードで組み合わせて動作可能な二つの受信機を有する携帯型機器において電力を制御する方法および装置を提供する。本装置は、二つの受信機によって同時に受信した信号をモニタし、分析して、二つの受信機の一つによって受信する信号の品質閾値を保ちながら、二つの受信機の他の一つの電力を落とせるか否かを判定する信号モニタおよび分析部（１１０）を備える。本装置は更に、信号モニタおよび分析部と通信し、信号モニタおよび分析部からの分析結果に基づいて、二つの受信機の少なくとも一つの電力を切る電力管理部（１２０）と、を備える。
2009506667.tif 000002
【特許請求の範囲】
【請求項１】
二つの受信機によって同時に受信した信号をモニタし、分析して、二つの受信機の一つによって受信する信号の品質閾値を保ちながら、二つの受信機の他の一つの電力を落とせるか否かを判定する信号モニタおよび分析部（１１０）と、
信号モニタおよび分析部と通信し、信号モニタおよび分析部からの分析結果に基づいて、二つの受信機の少なくとも一つの電力を切る電力管理部（１２０）と、
を備える、ダイバーシティ・モードで組み合わせて動作可能な二つの受信機を有する携帯型機器において電力を制御する装置。
【請求項２】
前記信号モニタおよび分析部（１１０）は統計的分析を用いて、二つの受信機の一つによって受信する信号の品質閾値を保ちながら、二つの受信機の他の一つの電力を落とせるか否かを判定する、請求項１記載の装置。
【請求項３】
前記二つの受信機は、ディジタル映像放送信号を受信するように構成されている、請求項１記載の装置。
【請求項４】
前記二つの受信機は、ディジタル地上テレビ放送信号を受信するように構成されている、請求項１記載の装置。
【請求項５】
前記電力管理部（１２０）は、二つの受信機の少なくとも一つの電力を切って電池の消費を削減し、それによりオンタイムで受信機を減らして携帯型機器の信頼性を向上する、請求項１記載の装置。
【請求項６】
前記電力管理部（１２０）は、二つの受信機の少なくとも一つの電力を切ることによって、電池の消費を削減し、オンタイムで受信機を減らして携帯型機器の信頼性を向上する、請求項１記載の装置。
【請求項７】
前記信号モニタおよび分析部（１１０）は、信号対雑音比、ビット誤り率、信号強度、未訂正パケット数の少なくとも一つを評価することによって信号を分析する、請求項１記載の装置。
【請求項８】
前記信号モニタおよび分析部（１１０）は、信号の少なくとも一つの動作パラメータの移動平均を算出し、二つの受信機の一つによって受信する信号の品質閾値を保ちながら、二つの受信機の他の一つの電力を落とせるか否かを判定する、請求項１記載の装置。
【請求項９】
外部電力を携帯型機器に供給する場合は、信号が品質閾値を満たすか否かに関係なく、二つの受信機を両方とも電力を投入したままとする、請求項１記載の装置。
【請求項１０】
前記電力管理部（１２０）は、信号モニタおよび分析部の分析結果が品質閾値よりも劣化した品質を示す場合、二つの受信機の少なくとも一つに電力を投入する、請求項１記載の装置。
【請求項１１】
二つの受信機によって同時に受信した信号をモニタし、分析して、二つの受信機の一つによって受信する信号の品質閾値を保ちながら、二つの受信機の他の一つの電力を落とせるか否かを判定するモニタおよび分析ステップ（２１０、２２０）と、
信号モニタおよび分析ステップからの分析結果に基づいて、二つの受信機の少なくとも一つの電力を切るステップ（２４０）と、
を含む、ダイバーシティ・モードで組み合わせて動作可能な二つの受信機を有する携帯型機器において電力を制御する方法。
【請求項１２】
前記モニタおよび分析ステップ（２１０，２２０）では、統計的分析を用いて、二つの受信機の他の一つにより受信する信号の品質閾値を保ちながら二つの受信機の一つの電力を落とせるか否かを判定する、請求項１１記載の方法。
【請求項１３】
前記二つの受信機は、ディジタル映像放送信号を受信するように構成されている、請求項１１記載の方法。
【請求項１４】
前記二つの受信機は、ディジタル地上テレビ放送信号を受信するように構成されている、請求項１１記載の方法。
【請求項１５】
前記電力を切るステップ（２４０）は、二つの受信機の少なくとも一つの電力を切って電池の消費を削減し、それによりオンタイムで受信機を減らして携帯型機器の信頼性を向上する、請求項１１記載の方法。
【請求項１６】
前記電力管理ステップは、二つの受信機の少なくとも一つの電力を切って、電池の消費を削減し、オンタイムで受信機を減らして携帯型機器の信頼性を向上する、請求項１１記載の方法。
【請求項１７】
前記モニタおよび分析ステップでは、信号対雑音比、ビット誤り率、信号強度、未訂正パケット数の少なくとも一つを評価することによって信号を分析する、請求項１１記載の方法。
【請求項１８】
前記モニタおよび分析ステップ（２１０，２２０）では、信号の少なくとも一つの動作パラメータの移動平均を計算し、二つの受信機の一つによって受信する信号の品質閾値を保ちながら、二つの受信機の他の一つの電力を落とせるか否かを判定する、請求項１１記載の方法。
【請求項１９】
外部電力を携帯型機器に供給する場合（２３５）、信号が品質閾値を満たすか否かに関係なく、二つの受信機を両方とも電力を投入したままとするステップを更に含む、請求項１１記載の方法。
【請求項２０】
前記信号モニタおよび分析ステップの分析結果が品質閾値よりも劣化した品質を示す場合、二つの受信機の少なくとも一つに電力を投入する（２３０）、請求項１１記載の方法。
【発明の詳細な説明】
【技術分野】
【０００１】
本原理は一般に携帯型機器に関し、より詳細には、少なくとも二つの受信機を有する携帯型機器においてダイバーシティ・モードを動的に電源を切る方法および装置に関する。
【背景技術】
【０００２】
（関連出願との相互参照）
本出願は、２００５年８月２４日に出願された米国仮出願番号６０／７１０，８８８号の優先権を主張し、その全体を参照により援用する。
【発明の開示】
【発明が解決しようとする課題】
【０００３】
一部の電子携帯型機器は、放送された信号の受信を向上するため、組み合わせて動作可能な２つの受信を備えている。この動作モードはダイバーシティとして知られている。しかしダイバーシティの動作は、大きな電力消費を伴う。
【課題を解決するための手段】
【０００４】
従来技術のこれら、およびその他の欠点および不利な点は、少なくとも二つの受信機を有する携帯型機器においてダイバーシティ・モードを動的に電源を切る方法および装置に関する本原理が解決する。
【０００５】
本原理の一態様によると、ダイバーシティ・モードで組み合わせて動作可能な二つの受信機を有する携帯型機器において電力を制御する装置が提供される。本装置は、二つの受信機によって同時に受信した信号をモニタし、分析して、二つの受信機の一つによって受信する信号の品質閾値を保ちながら、二つの受信機の他の一つの電力を落とせるか否かを判定する信号モニタおよび分析部を備える。本装置は更に、信号モニタおよび分析部と通信し、信号モニタおよび分析部からの分析結果に基づいて、二つの受信機の少なくとも一つの電力を落とす電力管理部を備える。
【０００６】
本原理の別の態様によると、ダイバーシティ・モードで組み合わせて動作可能な二つの受信機を有する携帯型機器において電力を制御する方法が提供される。本方法は、二つの受信機によって同時に受信した信号をモニタし、分析して、二つの受信機の一つによって受信する信号の品質閾値を保ちながら、二つの受信機の他の一つの電力を落とせるか否かを判定するステップを含む。本方法は更に、信号モニタおよび分析ステップからの分析結果に基づいて、二つの受信機の少なくとも一つの電力を落とすステップを含む。
【０００７】
本原理のこれらの、またさらなる態様、特徴および利点は、添付の図面を参照して、以下の代表的な実施の形態の詳細な説明から明らかになる。
本原理は、以下に例示する図面を参照して、より理解がなされる。
【発明を実施するための最良の形態】
【０００８】
本原理は、少なくとも二つの受信機を有する携帯型機器においてダイバーシティ・モードを動的に電源を切る方法および装置に関する。
【０００９】
以下、本原理を説明する。当業者は、本明細書に明示的な説明あるいは図示がなくとも、本原理を具体化した様々な構成を、本原理の精神および範囲を逸脱することなく案出できることが理解されよう。
【００１０】
ここで詳述する全ての例示や条件的な言語は、発明者が寄与する本原理と概念に対する読者の理解を助け、技術を発展させることを目的とするものであり、ここに具体的に記載する例示や条件などに限定されないものとする。
【００１１】
更に、本明細書に記す原理、態様、本原理の実施の形態ならびにそれらの具体例は、それらと構造的、機能的に等価なものも含むものとする。また、そのような等価物は、現在知られている等価物のみならず将来開発される等価物、すなわち構造とは関係なく同等の機能を実行する全ての開発要素も含むものとする。
【００１２】
したがって、本明細書に示すブロック図は、本原理を具現化する例示的な回路の概念図を示すことを当業者は理解されるであろう。同様に、フロー図、状態遷移図、擬似コードなどはいずれも、コンピュータで読み取り可能なメディアで実質的に示される様々な処理を示し、そのようなコンピュータないしプロセッサが明示されていなくてもコンピュータやプロセッサで実行されるものと理解されたい。
【００１３】
図面に示す様々な要素の機能は、専用のハードウエア、ならびに、適切なソフトウエアと共同してソフトウエアを実行可能なハードウエアを用いて提供してもよい。プロセッサにより提供する場合、この機能は、１つの専用プロセッサ、１つの共有プロセッサ、あるいは、複数の個別のプロセッサで提供してもよく、複数のプロセッサで提供する場合は一部を共有としてもよい。更に、「プロセッサ」や「コントローラ」といった用語を明示的に使用しても、ソフトウエアを実行可能なハードウエアのみを意味すると理解するのではなく、これには限定されず、明示されてはいなくとも、ディジタル信号プロセッサ（「ＤＳＰ」）ハードウエア、ソフトウエアを保存する読み取り専用メモリ（「ＲＯＭ」）、ランダム・アクセス・メモリ（「ＲＡＭ」）、不揮発性記憶装置を含んでもよい。
【００１４】
その他の従来の、あるいはカスタムのハードウエアも含んでもよい。同様に、図示するスイッチはいずれも概念的なものである。それらの機能は、プログラム論理回路の動作、専用論理回路、プログラム制御回路と専用論理回路の相互作用によって、あるいは手動でも実行することができ、開発者であれば、文脈からより具体的に理解して個別の手法を選択できる。
【００１５】
特許請求の範囲において、特定の機能を実行する手段として示す要素はいかなるものでも、例えば、ａ）その機能を実行する回路要素の組み合わせ、または、ｂ）その機能を実現するソフトウエアを実行する適切な回路と組み合わせたファームウエア、マイクロコードなどを含むあらゆる形態のソフトウエア、を含む、その機能を実行するいかなる方法をも含むものとする。このような請求項で定義される本原理は、詳述する様々な手段が提供する機能性が、請求項が請求する様式で組み合わされ、実現される事実の中に存在している。したがって、これらの機能性を提供できる手段はいかなるものでも、ここに示すものと等価物であるとみなされる。
【００１６】
明細書中における本原理の「一実施の形態」あるいは「実施の形態」の言及は、実施の形態と関係して説明する特定の特徴、構造、性質などが、本原理の少なくとも１つの実施の形態に含まれることを意味する。したがって、明細書を通して様々な箇所に記載される「一実施の形態」または「実施の形態」という語句は、必ずしも全て同一の実施の形態を指しているとは限らない。
【００１７】
図１に戻ると、少なくとも二つの受信機を有する携帯型機器においてダイバーシティ・モードを動的に電源を切る代表的な装置が、全体を参照符号装置１００で示されている。
【００１８】
装置１００は携帯型機器１９０に内蔵されている。簡潔にするため、携帯型機器１９０について簡単に説明する。しかし、当該技術分野および関連技術分野の当業者であれば、本原理の範囲を逸脱せずに、本原理を適用しうる携帯型機器を以下の構成のみならずその他の構成と実施であっても想到可能である。携帯型機器１９０は、プロセッサ１９１と、少なくとも１つの記憶装置１９２と、入出力インターフェイス１９３と、ディスプレイ１９４と、少なくとも１つのスピーカー１９５と、アンテナ１９６と、受信機１８０、１８１とを備える。バス１９７は、携帯型機器１９０の前述の構成要素を相互接続する。
【００１９】
プロセッサ１９１は、例えば、音声信号や映像信号などのディジタル信号を処理するディジタル信号プロセッサ、または、ディジタル信号処理部を含んでもよい。したがって、プロセッサ１９１および一以上の受信機１８０、１８１のいずれも、これに限定されないが、信号受信、復調などを含む信号処理を実行する対応する構成要素や回路を含んでもよい。このような構成要素および回路には、例えば、ディジタル・アナログ変換器（ＤＡＣ）やチューナーを含んでもよい。
【００２０】
装置１００は、信号モニタおよび分析部１１０ならびに電力管理部１２０（以下、まとめて「電力管理部」とも称する）を備えている。バス１９７は、装置１００の前述の構成要素を相互接続すると共に、装置１００の構成要素を携帯型機器１９０の構成要素に接続する。もちろん、ここに記載する本原理の教示により、当該技術分野および関連技術分野の当業者であれば、これらの構成要素のみならず、本原理の範囲を逸脱せずに、携帯型機器においてダイバーシティ・モードを動的に切る装置のその他の様々な構成要素も想到可能であろう。
【００２１】
信号モニタおよび分析部１１０は、受信機１８０、１８１の一以上で受信した信号をモニタして分析し、信号の品質閾値を維持しつつも、二つの受信機１８０、１８１の一つの電力を落とせるか否かを判定する。電力管理部１２０は、信号モニタおよび分析部１１０からの分析結果に基づいて、二つの受信機１８０と１８１の少なくとも一つの電力を切る。
【００２２】
信号モニタおよび分析部１１０と電力管理部１２０を、上述の携帯型機器１９０の一部を構成する独立した構成要素として示しているが、当該技術分野および関連技術分野の当業者であれば、本原理の範囲を逸脱せずに、携帯型機器１９０の既存の一以上の構成要素を用いて、本原理による、携帯型機器の電力管理を行う装置を実施してもよいことが分かる。例えば、装置１００は携帯型機器１９０の一以上の既存の構成要素を利用して本原理を実施してもよい。このような既存の装置として、これに限定されないが、例えば、プロセッサ１９１と少なくとも１つの記憶装置１９２を含んでもよい。
【００２３】
図１に示す装置１００などの一部の従来の装置は、組み合わせて動作して放送された信号の受信を向上することができる二つの受信機を含む。この動作モードをダイバーシティと呼ぶ。しかしながら、ダイバーシティ動作は大きな電力消費を伴う。
【００２４】
本原理は、二以上の受信機を備える電子装置においてダイバーシティ・モードを動的に電源を切る方法および装置を提供する。一実施の形態では、第１の受信機の信号をモニタし、統計的分析によって品質を判定する。信号から、二つの受信機を組み合わせて動作させる必要がないと判定されると、第２の受信機の電力が落とされる。第２の受信機が必要であるかないかを、第１の信号機で受信された信号を常時、または、事前に指定された間隔でモニタして判定してもよい。本原理の実施の形態は、必要な場合にのみ第２の受信機に電力を投入することによって、動的に実施することができる。
【００２５】
本原理によると、受信またはユーザ体験（ｕｓｅｒ  ｅｘｐｅｒｉｅｎｃｅ）に対する影響を最低限、または全く与えずに、電力消費を大幅に節減できる。この電力消費の節減によって、二つの受信機の電力を常に入れている場合と比較して、装置の電池の寿命を大幅に長くできる。第２の受信機は常時作動しているわけではないので、信頼性の向上という付加的な利点もある。
【００２６】
図２に、少なくとも二つの受信機を有する携帯型機器においてダイバーシティ・モードを動的に電源を切る代表的な方法を全体として参照符号２００で示す。
【００２７】
本方法２００は、制御を機能ブロック２１０に受け渡すスタート・ブロック２０５を含む。機能ブロック２１０では、第１の受信機の信号をモニタし、制御を機能ブロック２１５に渡す。機能ブロック２１５では、信号データを収集し、制御を機能ブロック２２０に渡す。機能ブロック２１５において、第１の受信機がロックされた時に、信号データが収集される。このデータは、例えば、信号対雑音比、ビット誤り率、信号強度、未訂正パケット数を含んでもよい。データを分析する前に、上述のパラメータまたはその他のパラメータの少なくとも一部について、少なくとも所定の数の読み取りを行うように時間をかけてこのデータを収集してもよい。
【００２８】
機能ブロック２２０では、データを分析し、制御を判定ブロック２２５に渡す。機能ブロック２２０では、データを、例えば、信号対雑音比、信号強度、ビット誤り率などの移動平均を統計的に判定して、第１の受信機の信号が劣化したか否かを判定して、分析してもよい。
【００２９】
判定ブロック２２５では、信号が劣化したか否かを判定する。劣化したと判定された場合、制御は機能ブロック２３０に渡される。劣化していないと判定された場合、制御は判定ブロック２３５に渡される。判定ブロック２２５において、劣化量を、受信、すなわちユーザ体験が悪化し始める点と相関させることができる。したがって、一以上のパラメータを用いて劣化量を判定してもよい。一実施の形態では、劣化量は、特定の値あるいは特定の範囲の値との比較に基づいて判定してもよく、公称値または以前の値からの変位などに基づいて判定してもよい。信号劣化の程度の判定に使用する閾値は、例えば、理論や実験により求めてもよい。ここに記載する本発明の教示により、当該技術分野および関連技術分野の当業者であれば、これらの方法のみならず、本原理の範囲を逸脱せずに、本原理に従った、ダイバーシティ・モードの電力を切るためのその他の様々な信号劣化の判定方法も想到可能であろう。
【００３０】
機能ブロック２３０では、第２の受信機の電力を入れ、制御を機能ブロック２１０に戻す。機能ブロック２３０において、第２の受信機と第１の受信機との組み合わせによって、信号の受信が向上するように、第２の受信機に電力が投入される。第２の受信機は、信号が劣化している限り、電力を投入したままにしてもよい。一実施の形態では、ほとんどの状況で、ユーザ体験を損なわない良好な受信が、電力消費の節減より優先される。
【００３１】
判定ブロック２３５では、外部電力を供給するか否かを判定する。外部電力を供給すると判定した場合、制御は機能ブロック２１０に戻る。そうでない場合、制御は機能ブロック２４０に移る。判定ブロック２３５において、外部電力を供給するかどうかという条件を、別の存在からのメッセージを介して提供してもよい。例えば、別のソフトウェア・モジュールでメッセージを提供して、その別のソフトウェア・モジュールがハードウエアを用いて外部電力の供給を追跡するようにしてもよい。なお、外部電力を供給する場合、電力節減の利点がないので、第２の受信機の電力は通常、切らないことに留意されたい。
【００３２】
機能ブロック２４０では、第２の受信機の電力を切り、制御を機能ブロック２１０に戻す。
【００３３】
ここで、既に部分的に説明をした、本発明に付随する多くの利点／特長の一部を説明する。例えば、一つの長所／特長は、ダイバーシティ・モードで組み合わせて動作可能な二つの受信機を有する携帯型機器の電力投入を制御する装置である。この装置は、２つの信号機によって同時に受信された信号をモニタ、分析して、２つの信号機の一つによって受信する信号の品質閾値を保ちながら、二つの受信機の他の一つの電力を落とせるか否かを判定する、信号モニタおよび分析部を有する。本装置は更に、信号モニタおよび分析部と通信して、信号モニタおよび分析部からの分析結果に基づいて、二つの受信機の少なくとも一つの電力を切る電力管理部を有する。
【００３４】
他の利点／特長は、上述の装置が信号モニタおよび分析部が統計的分析を用いて、２つの信号機の一つによって受信する信号の品質閾値を保ちながら、二つの受信機の他の一つの電力を落とせるか否かを判定することにある。
【００３５】
更に別の利点／特長は、上述の装置は、二つの受信機がディジタル映像放送信号を受信するように構成されていることである。
【００３６】
更に、他の利点／特長は、上記の装置は、二つの受信機はディジタル地上テレビ信号を受信するように構成されていることである。
【００３７】
更に、他の利点／特長は、上記の装置は、電力管理部は二つの受信機の少なくとも一つの電力を落とし、それにより電池の消費を削減し、オンタイムで受信機を削減することで携帯型機器の信頼性を向上することにある。
【００３８】
また別の利点／特長は、上記の装置は、電力管理部は二つの受信機の少なくとも一つの電力を落とすことでオンタイムで受信機を減らすことから、電池の消費を削減し、携帯型機器の信頼性を向上することにある。
【００３９】
また、別の利点／特長は、上記の装置は、信号モニタおよび分析部が信号対雑音比、ビット誤り率、信号強度、未訂正パケット数の少なくとも一つを評価することで信号を分析することにある。
【００４０】
更に別の利点／特長は、上記の装置は、信号モニタおよび分析部は信号の少なくとも一つの動作パラメータの移動平均を算出し、２つの信号機の一つによって受信する信号の品質閾値を保ちながら、二つの受信機の他の一つの電力を落とせるか否かを判定することにある。
【００４１】
また、他の利点／特長は、上記の装置は、外部電力を携帯型機器に供給する場合は、信号が品質閾値を満たすか否かに関係なく、二つの受信機の両方を電力投入したままに保つことである。
【００４２】
また、別の利点／特長は、上記の装置は、電力管理部は、信号モニタおよび分析部の分析結果が品質閾値よりも劣化した品質を示す場合、二つの受信機の少なくとも一つに電力を投入することにある。
【００４３】
関連技術の当業者であれば、ここに記載する教示に基づいて、上記の特長および利点のみならず他の本原理の特長および利点も容易に究明できるであろう。本原理の教示は様々な形態のハードウエア、ソフトウエア、ファームウエア、専用プロセッサあるいはその組み合わせた形態により実施可能であることが理解されよう。
【００４４】
最も好ましくは、本原理の教示はハードウエアとソフトウエアの組み合わせとして実施される。更に、ソフトウエアは、プログラム記憶装置で実体的に具現化されるアプリケーション・プログラムとして実施してもよい。アプリケーション・プログラムは、適切なアーキテクチャを備える機器にアップロードし、実行してもよい。好ましくは、機器は、中央演算装置（「ＣＰＵ」）、ランダム・アクセス・メモリ（「ＲＡＭ」）、入出力（「Ｉ／Ｏ」）インターフェイスの一つ以上などのハードウエアを有するコンピュータ・プラットフォーム上に実装する。コンピュータ・プラットフォームには、オペレーティング・システムとマイクロ命令コードも含めてもよい。ここに記載する様々な処理および機能は、ＣＰＵにより実行可能な、マイクロ命令コードの一部ないしアプリケーション・プログラムの一部、またはその組み合わせとしてもよい。更に、追加のデータ記憶装置や印刷装置などのその他の様々な周辺装置をコンピュータ・プラットフォームに接続してもよい。
【００４５】
更に、添付の図面に示すシステム構成要素および方法の一部は好ましくはソフトウエアで実施されるので、システム構成要素間、または処理機能ブロック間の実際の接続は、本原理をプログラムする方法によって異なってもよいことが理解されよう。ここに開示する教示から、関連技術分野の当業者であれば、ここに記載した本原理の実施および構成だけでなく、類似の実施および構成も想到可能であろう。
【００４６】
添付の図面を参照して例示的な実施の形態について説明したが、本原理はそれらの厳密な実施の形態に限定されず、関連技術分野の当業者であれば、本原理の範囲または精神から逸脱せずに様々な変更や修正を行うことができることが理解されよう。それらの全ての変更や修正は、添付の特許請求の範囲に記載する本原理の範囲に含まれるものとする。
【図面の簡単な説明】
【００４７】
【図１】本原理の実施の形態による、少なくとも二つの受信機を有する携帯型機器においてダイバーシティ・モードを動的に電源を切る代表的な装置のブロック図である。
【図２】本原理の実施の形態による、少なくとも二つの受信機を有する携帯型機器においてダイバーシティ・モードを動的に電源を切る代表的な方法のフロー図である。
【図１】
2009506667.tif 000003
【図２】
2009506667.tif 000004
【国際調査報告】
2009506667.tif 000005
2009506667.tif 000006